(57)【要約】【課題】重量衝撃音の伝播を抑制し、耐火性能を得ることができる木質床構造を提供する。【解決手段】木質床構造は、木製床版２０と、木製床版２０の上面に載置され、水分を担持した保水材３２と、木製床版２０に載置された束材４０に支持された床材５０と、を有する。【選択図】図１
2019143311.tif 000002
【特許請求の範囲】
【請求項１】
木製床版と、
前記木製床版の上面に載置され、水分を担持した保水材と、
前記木製床版に載置された束材に支持された床材と、
を有する木質床構造。
【請求項２】
前記保水材は前記木製床版の上面を覆うように配置されている、請求項１に記載の木質床構造。
【請求項３】
前記保水材は容器に封入された状態で前記木製床版の上面に敷き詰められている、請求項１又は請求項２に記載の木質床構造。
【発明の詳細な説明】
【技術分野】
【０００１】
本発明は、木質床構造に関する。
【背景技術】
【０００２】
下記特許文献１には、ＣＬＴ（Ｃｒｏｓｓ  Ｌａｍｉｎａｔｅｄ  Ｔｉｍｂｅｒ）を用いて床板を形成した住宅構造が記載されている。
【先行技術文献】
【特許文献】
【０００３】
【特許文献１】特開２０１７−５３１８７号公報
【発明の概要】
【発明が解決しようとする課題】
【０００４】
上記特許文献１のようにＣＬＴ等の木質材料を床板として用いる場合、コンクリートを用いる場合と比較して軽量であるが上階から下階へ重量衝撃音が伝播し易い。また、木質材料はコンクリートより燃え易いため、火災が発生した際には、延焼が拡大する蓋然性が高くなる。
【０００５】
本発明は上記事実を考慮して、重量衝撃音の伝播を抑制し、耐火性能を得ることができる木質床構造を提供することを目的とする。
【課題を解決するための手段】
【０００６】
請求項１の木質床構造は、木製床版と、前記木製床版の上面に載置され、水分を担持した保水材と、前記木製床版に載置された束材に支持された床材と、を有する。
【０００７】
請求項１の木質床構造では、木製床版の上面に、水分を担持した保水材が載置されている。これにより木製床版の重量を増し木製床版の固有振動数を変化させる。これにより木製床版の共振現象による重量衝撃音の増幅を抑制できる。また、床材上で火災が発生した際には、保水材に担持された水分が蒸発し、気化熱を奪うことで火勢を弱くすると共に木製床版の温度上昇を抑制できる。このため木製床版の耐火性能が向上する。
【０００８】
請求項２の木質床構造は、前記保水材は前記木製床版の上面を覆うように配置されている。
【０００９】
請求項２の木質床構造では、保水材が、木製床版の上面を覆うように配置されている。これにより木製床版の上部に保水材による保水層が形成される。このため、例えば保水材が木製床版の上面に離散的に配置されている場合と比較して、耐火性能とが高くなる。
【００１０】
請求項３の木質床構造は、前記保水材は容器に封入された状態で前記木製床版の上面に敷き詰められている。
【００１１】
請求項３の木質床構造では、保水材が容器に封入されている。このため、容器に水を注入しない状態で敷き詰めることができる。水を注入するまでは保水材は軽量なので敷き詰め作業が容易である。
【発明の効果】
【００１２】
本発明に係る木質床構造は、重量衝撃音の伝播を抑制し、耐火性能を得ることができる。
【図面の簡単な説明】
【００１３】
【図１】（Ａ）は本発明の実施形態に係る木質床構造を示す断面図であり、（Ｂ）は保水袋が敷き詰められた状態を示す平面図であり、（Ｃ）は保水袋が千鳥状に敷き詰められた状態を示す平面図である。
【図２】（Ａ）は本発明の実施形態に係る木質床構造において、乾燥状態の保水材が入れられた袋体を木製床版の上面に敷設した状態を示す断面図であり、（Ｂ）は保水材をトレー状の容器に配置した変形例を示す断面図である。
【発明を実施するための形態】
【００１４】
（木質床構造）
本発明の実施形態に係る木質床構造は、図１（Ａ）に示す木製床版２０における重量衝撃音の伝播を抑制し、かつ耐火性能を高めるための床構造である。木質床構造は、木製床版２０と、木製床版２０の上面に載置され、水分を担持した保水材３２と、木製床版２０に載置された束材４０に支持された床材５０と、を備えている。
【００１５】
木製床版２０は、ＣＬＴを用いて形成されている。木製床版２０には所定の間隔で束材４０が配置され、束材４０の上には下地材５２を介してフローリング材５４が敷設されている。なお、下地材５２とフローリング材５４とを組合わせて、床材５０と称するものとする。フローリング材５４としては、木材、木材と樹脂等の複合材、タイルカーペットなど、任意の素材を適宜採用できる。
【００１６】
保水材３２は、高吸水性高分子材料（例えばセルロース系高分子材料）によって形成され、非保水状態では粉状又は繊維状であり吸水することで膨張して粘性を持ったゲル状に変化する。図１（Ａ）に示すように、保水材３２は非透水性の袋体３４に、吸水状態で封入されて木製床版２０の上面に敷き詰められている。袋体３４は、熱せれられることにより融解する。具体的には、袋体３４は、水の沸点以下の温度で融解する素材によって形成されている。これにより、火災時などに袋体が炎に晒された場合、袋体３４が融解して、保水材３２に担持された水分が蒸発できる。なお、保水材３２と袋体３４とを組合わせて、保水袋３０と称するものとする。袋体３４は、本発明における容器の一例である。
【００１７】
保水袋３０は、束材４０と密着して配置されている。すなわち、束材４０は２つの保水袋３０によって挟み込まれるようにして配置されている。図１（Ｂ）に示すように、束材４０を挟み込んでいる部分以外の部分においては、隣接する保水袋３０同士は密着して配置されている。なお、保水袋３０は図１（Ｂ）に示すように２方向に整列させて配置してもよいし、図１（Ｃ）に示すように千鳥状に配置してもよい。このようにすることで、木製床版２０の上部に、保水材３２による耐火被覆層が形成される。
【００１８】
保水袋３０を施工する際には、まず図２（Ａ）に示すように、非保水状態（乾燥状態）の保水材３２を入れた袋体３４を、束材４０の間へ配置する。袋体３４には図示しない給水口が設けられており、当該給水口へホースの先端を差し込んで水を供給する。これにより粉状の保水材３２が水を吸水して膨張し、図１（Ａ）に示すように袋体３４の内部に密実に充填される。水を含んだ保水材３２はゲル状とされているため、保水袋３０は束材４０の形状に沿って変形する。
【００１９】
（作用・効果）
本発明の実施形態に係る木質床構造によると、木製床版２０の上面に、水分を担持した保水材３２が封入された保水袋３０が載置されている。保水袋３０は、隣り合う保水袋３０と密着するようにして敷き詰められている。これにより木製床版２０で形成されるスラブの重量を増し木製床版の固有振動数を変化させる。これにより木製床版２０の共振現象による重量衝撃音の増幅を抑制できる。
【００２０】
また、束材４０は保水袋３０によって挟み込まれている。保水袋３０にはゲル状の保水材が充填されているため、保水袋３０は束材４０に沿って変形し、束材４０に密着する。このため束材４０の振動が抑制され、安定して床材５０を支持できる。
【００２１】
また、木製床版２０は保水材３２に被覆されている。これにより床材５０の上部空間で火災が発生した際に、木製床版２０が直接炎に煽られることが抑制される。また、保水材３２に担持された水分が蒸発し、気化熱を奪うことで火勢を弱くすると共に木製床版２０の温度上昇を抑制できる。このため木製床版２０の耐火性能が向上する。
【００２２】
また、本実施形態においては、保水材３２が袋体３４に封入されている。このため、袋体３４に水を注入しない状態で木製床版２０の上面に敷き詰めることができる。水を注入するまでは保水材３２は軽量なので敷き詰め作業が容易である。また、工場から施工現場への運搬も容易である。
【００２３】
また、保水材３２は、水をかけるだけで粉状からゲル状に変化し、水分を担持する。このため、例えば木製床版２０の上部にコンクリートを打設して耐火被覆を形成する場合と比較して、施工が容易である。さらに、保水材３２の吸水反応は、コンクリートの硬化反応より所要時間が短い。このため施工期間を短縮できる。
【００２４】
さらに、同体積あたりに担持できる水分量は、コンクリートと比較して保水材３２のほうが多い。このため、耐火被覆層として必要な厚みを薄くできる。これにより例えば階高を小さくして、建材の使用量を低減できる。
【００２５】
また、保水材３２はゲル状とされているため、粘性の低い液体を用いる場合と比較して、地震時に液体が大きく揺れるスロッシング現象を抑制することができる。
【００２６】
なお、本実施形態において保水袋３０は束材４０と密着して配置し、隣接する保水袋３０同士も密着して配置しているが、本発明の実施形態はこれに限らない。例えば保水袋３０は束材４０と密着させなくてもよいし、保水袋３０同士も密着させなくてもよい。これらを密着させなくても木製床版２０で形成されるスラブの重量が大きくなるため、重量衝撃音の低減効果を得ることができる。また、木製床版２０の耐火性能も向上する。
【００２７】
また、本実施形態においては袋体３４に予め保水材３２を入れておき、施工現場で水を供給するものとしたが、本発明の実施形態はこれに限らない。例えば袋体３４は、中身が空の状態で木製床版２０の上に敷き詰め、水を担持した状態の保水材３２をフレキシブルホースなどで注入してもよい。このようにすることで、水の注入量に偏りが生じることを抑制できる。このため保水材３２の保水量を安定させることができる。
【００２８】
また、本実施形態においては、袋体３４を、水の沸点以下の温度で融解する素材によって形成したが、本発明の実施形態はこれに限らない。例えば、水を通さず蒸気を通す素材であれば、融解する必要はない。水を通さず蒸気を通す素材としては、微細孔が形成された通気性フィルム等を用いることができる。又は、保水材３２の水分が蒸発して袋体３４の内部の圧力が大きくなった際に、部分的に破断して蒸気が抜ける機構を備えた素材を用いてもよい。
【００２９】
また、本実施形態においては、保水材３２は袋体３４の内部に封入されているものとしたが、本発明の実施形態はこれに限らない。保水材３２は、例えば図２（Ｂ）に示すようなトレー状の容器３６に配置してもよい。このように上部が開放した容器３６を用いると、施工現場における水の供給が容易である。なお、常温で水分が蒸発する材料を保水材３２として用いる場合、保水材３２に水を吸水させたあと、容器３６に非透水性の蓋を被せることが好適である。
【００３０】
このように、本発明における「木製床版の上面を覆うように配置されている」状態とは、木製床版２０の全面を覆う状態だけではなく、保水材３２を収容する容器の形状によっては、部分的に覆わない部分を備えている状態を含む。
【００３１】
また、本実施形態において、保水材３２は木製床版２０の上面のみに敷設されるものとしたが、本発明の実施形態はこれに限らない。例えば図１に示す木製床版２０の最下層の内側の層におけるひき板２０Ａを部分的に省略し、ここに形成された隙間に保水材３２を注入してもよい。このようにすることで、木製床版２０の下部空間で発生した火災に対して、最下層のひき板が燃え難くなる。これにより耐火性能をさらに向上させることができる。
【００３２】
また、本実施形態においては、木製床版２０はＣＬＴを用いて形成したが、本発明の実施形態はこれに限らない。木製床版２０は、例えば集成材やＬＶＬなどを用いて形成してもよいし、ツーバイフォー材等の規格木材を並べて形成してもよい。あるいは、床梁、根太及び合板を用いて形成した床としてもよい。
【符号の説明】
【００３３】
２０  木製床版
３２  保水材
３４  袋体（容器）
４０  束材
５０  床材
【図１】
2019143311.tif 000003
【図２】
2019143311.tif 000004